(57)【要約】      （修正有）【課題】軽量化すると共に、地面に穴を掘ることなく、より簡単に且つ短時間で設置することのできる動物捕獲用括り罠装置を提供する。【解決手段】フレーム取付台１と、ワイヤ跳ね上げフレーム７、８と、括り輪２０が一端に形成されたワイヤ１９と、括り輪２０に縮径力を付勢する付勢手段と、踏板６を具備し、一対のワイヤ跳ね上げフレーム７，８をフレーム取付台１に回動可能に連結し、ワイヤ跳ね上げフレーム７，８の外周囲にワイヤの括り輪２０を装着し、動物が踏板６を踏むと踏板６が一対のワイヤ跳ね上げフレーム７，８から外れて抑えていた縮径力を開放し、ワイヤの括り輪２０とワイヤ跳ね上げフレーム７，８が上方へ跳ね上がり、動物の足を締め付ける動物捕獲用括り罠装置。【選択図】図１
2020089294.tif 000002
【特許請求の範囲】
【請求項１】
フレーム取付台と、
動物の足を括るための括り輪が一端に形成されたワイヤと、
前記括り輪に縮径力を付勢するためにワイヤに装着された付勢手段と、
フレーム取付け台に取付けた一対のワイヤ跳ね上げフレームと、踏板
を具備した動物捕獲用括り罠装置において、
一対のワイヤ跳ね上げフレームを対向するように各ワイヤ跳ね上げフレームの各フレーム下端部をフレーム取付台に回動可能に連結し、
前記一対のワイヤ跳ね上げフレームの外周囲にワイヤの括り輪を装着し、
踏板を前記一対のワイヤ跳ね上げフレームの内側に装着してワイヤの括り輪に付勢される縮径力を抑え、
動物の足が踏板を踏むことにより踏板が前記一対のワイヤ跳ね上げフレームから外れて抑えていた縮径力を開放し、
ワイヤの括り輪とワイヤ跳ね上げフレームが上方へ跳ね上がり、
ワイヤの括り輪がワイヤ跳ね上げフレームから上方へ飛び出て縮径し、
動物の足を締め付けて捕獲することを特徴とする動物捕獲用括り罠装置。
【請求項２】
踏板がワイヤ跳ね上げフレームから外れる荷重を調整する動作荷重調整スペーサを有し、前記動作荷重調整で各ワイヤ跳ね上げフレームと踏板を連結したことを特徴とする請求項１に記載の動物捕獲用括り罠装置。
【請求項３】
ワイヤ跳ね上げフレームが正面から見て略Ｕ字状、又は
正面から見て２つの角部を円弧状とした略上向きコ字状、
の何れか１つであるであることを特徴とする請求項１から請求項２
のいずれかの１項に記載の動物捕獲用括り罠装置。
【請求項４】
一対のワイヤ跳ね上げフレームにおいて、
１つ目のワイヤ跳ね上げフレームは、２つあるフレームの片方のフレームを片方のフレーム取付台の立ち上がりの内側に、他方のフレームは他方のフレーム取付台の立ち上がりの外側に取り付け
２つ目のワイヤ跳ね上げフレームは、１つ目のワイヤ跳ね上げフレームと逆の取り付け位置に取り付けた
ことを特徴とする請求項１から請求項３のいずれかの１項に記載の動物捕獲用括り罠装置。
【請求項５】
フレーム取付台のワイヤ跳ね上げフレーム取付孔を複数個設けたことを特徴とする請求項１から請求項４のいずれかの１項に記載の動物捕獲用括り罠装置。
【請求項６】
踏板の取付がワイヤ跳ね上げフレームより上にならないように、ワイヤ跳ね上げフレームに踏板止めを設けたことを特徴とする請求項１から請求項５のいずれかの１項に記載の動物捕獲用括り罠装置。
【請求項７】
一対のワイヤ跳ね上げフレームを側面から見て横長のＸ字状をなすように交差させて配置し、
両ワイヤ跳ね上げフレームのフレーム下端部をフレーム取付台に回動可能に連結した
ことを特徴とする請求項１から請求項６のいずれかの１項に記載の動物捕獲用括り罠装置。 
【請求項８】
一対のワイヤ跳ね上げフレームを側面から見て交差しないように配置し、
両ワイヤ跳ね上げフレームのフレーム下端部をフレーム取付台に回動可能に連結した
ことを特徴とする請求項１から請求項６のいずれかの1項に記載の動物捕獲用括り罠装置。
【請求項９】
一対のワイヤ跳ね上げフレームの取付状態が逆ハ字状となるように、
フレーム取付台の連結用孔とフレーム受けの位置を配置した
ことを特徴とする請求項１から請求項８のいずれかの１項に記載の動物捕獲用括り罠装置。 
【発明の詳細な説明】
【技術分野】
【０００１】
本発明は、森林や田畑を荒らす猪、鹿、その他の野性動物を捕獲するために使用する動物捕獲用括り罠装置に関するものである。
【背景技術】
【０００２】
従来の括り罠は猪、鹿等の野生動物を捕獲するため獣道に設置し、野生動物が移動中に括り罠の踏板を踏んだとき、括り罠を動作させ、ワイヤで足首を括って捕獲する括り罠で、その多くのものは地面に穴を掘り、その穴の上部に罠を設置するものである。
【０００３】
特許文献１(実登3127832)に記載の野生動物用罠は、
踏板の上面に一対の半円弧状の作動体を互いに対向させて回動可能に  連結してなる作動装置を設け、作動装置の各作動体の回動端部を作動装置よりも大きい枠体の内面に設けた受け桟に載置し、枠体内で下動可能に懸垂支持し、ワイヤの中間部にループ部の径を縮小する付勢ばね装置を設け、その捕獲ワイヤのループ部を前記各作動体の外周に懸回してリング状に保形し、踏板を踏むと作動装置が動作するようにしたことを特徴とする野生動物用罠で、地面に穴を掘って設置する。一対の略コの字状の作動体は設置時は略直線状である。
【０００４】
特許文献２(実登3170042)に記載の括り罠は、
矩形状の踏板の上面に一対の略コの字状のロープ掛けアームを踏板に回動可能に連結してなる作動装置を設け、作動装置の各作動体の回動端部を踏板よりも大きい設置枠の傾斜片上に載置し、設置枠内で踏板が下方向に移動可能に懸垂支持し、ワイヤの中間部に前記ループ部の径を縮小する付勢ばね装置を設け、該捕獲ワイヤのループ部を前記各作動体の外周に巻回してリング状に保形し、踏板を踏むと作動装置が動作するようにしたことを特徴とする括り罠で、地面に穴を掘って設置する。一対の略コの字状の作動体は設置時はハの字形状である。
【０００５】
特許文献３(特開2017-70245)に記載の動物捕獲用罠は、
踏板に一対の略コの字状の作動体を互いに対向させて回動可能に連結してなる作動装置を設け、作動装置の各作動体の回動端部を作動装置よりも大きい収納容器の内面に設けた受け台に載置し、踏板が収納容器内で下方向に移動可能に懸垂支持し、ワイヤの中間部にループ部の径を縮小する付勢ばね装置を設け、その捕獲ワイヤのループ部を前記各作動体の外周に巻回してリング状に保形し、踏板を踏むと作動装置が動作するようにしたことを特徴とする野生動物用罠で、地面に穴を掘って設置する。
作動装置は収納容器から外に突出することは無く、一対の略コの字状の作動体は設置時はハの字形状である。
【０００６】
特許文献４（特開2017-147948)に記載の動物の足くくり罠は、
踏板、輪差部が形成されたワイヤ、ワイヤに設置された付勢手段と一対のワイヤ保持フレームを具備し、一対のワイヤ保持フレームを側面視略Ｘ字状に交差させて交点を回転可能
に連結し、一個のワイヤ保持フレームは下端を踏板に回転可能に連結し、他のワイヤ保持フレームは移動用フレームと連結し、移動用フレームを踏板の下面に自由に滑動できるように配置し、一対のワイヤ保持フレームを側面視略直線状にして同フレームの外周にワイヤの輪差部を装着し、設置台上に設置し、動物の足が踏板を踏むことにより付勢手段を用いて一対のワイヤ保持フレームが側面視略Ｘ字状となり、ワイヤのループ部がフレームから上方へと抜け出て動物の足を括るくくり罠である。 
【先行技術文献】
【特許文献】
【０００７】
【特許文献１】実登３１２７８３２
【特許文献２】実登３１７００４２
【特許文献３】特開２０１７−０７０２４５
【特許文献４】特開２０１７−１４７９４８
【発明の概要】
【発明が解決しようとする課題】
【０００８】
括り罠は主として猪、鹿等の野生動物を捕獲するために使用される罠の一種で、足首を括りワイヤで括って捕獲する狩猟罠である。従来の括り罠は、獣道に掘った穴の開口部に踏板を被せて、その踏板の周囲に括りワイヤの一端に形成した括り輪を置き、それらの上に落ち葉や土砂等を被せて罠を隠しておく。特許文献１から特許文献４にそれぞれ記載された従来の動物捕獲用括り罠装置は、フレーム取付台の中央付近を基点に回動自在な一対の作動体（ロープ掛けアーム、ワイヤ保持フレーム）を対向して設置し、動物の足が踏板を踏むと、一対の作動体が上方に移動し、それによって作動体の外周囲に装着されていた括り輪が空中上方へと跳ね上がり、ワイヤに装着されたばねの力により括り輪が縮径し、踏板を踏んだ動物の足を捕獲する構造になっている。この場合、対向した一対の作動体は、フレーム取付台の中央付近を基点にして、作動体の先端はフレーム取付台の両側端から上方に跳ね上がり、フレーム取付台の中央付近まで立ち上がり、同時に跳ね上がった括り輪により動物の足の上方部を捕獲する。
【０００９】
多くの括り罠は、穴を掘ってその上に設置されるが、掘った穴、排出される土、人の匂い等から、猪等が警戒して罠に近寄らなくなるという不具合がある。また、設置に穴を掘る道具と時間と手間がかかる。
【００１０】
本発明は上記課題を解決するものであり、括り罠を軽量化すると共に、地面に穴を掘ることなく、より簡単に且つ短時間で設置することのできる動物捕獲用括り罠装置を提供することにある。
【課題を解決するための手段】
【００１１】
上記課題に鑑み、本発明の第一は、フレーム取付台と、
動物の足を括るための括り輪が一端に形成されたワイヤと、
前記括り輪に縮径力を付勢するためにワイヤに装着された付勢手段と、
フレーム取付け台に取付けた一対のワイヤ跳ね上げフレームと踏板を具備した動物捕獲用括り罠装置において、一対のワイヤ跳ね上げフレームを対向するように各ワイヤ跳ね上げフレームの各フレーム下端部をフレーム取付台に回動可能に連結し、
前記一対のワイヤ跳ね上げフレームの外周囲にワイヤの括り輪を装着し、
踏板を前記一対のワイヤ跳ね上げフレームの内側に装着してワイヤの括り輪に付勢される縮径力を抑え、動物の足が踏板を踏むことにより踏板が前記一対のワイヤ跳ね上げフレームから外れて抑えていた縮径力を開放し、ワイヤの括り輪とワイヤ跳ね上げフレームが上
方へ跳ね上がり、
ワイヤの括り輪がワイヤ跳ね上げフレームから上方へ飛び出て縮径し、
動物の足を締め付けて捕獲することを特徴とする動物捕獲用括り罠装置である。
【００１２】
本発明の第二は、
踏板がワイヤ跳ね上げフレームから外れる荷重を調整する動作荷重調整スペーサを有し、前記動作荷重調整スペーサでワイヤ跳ね上げフレームと踏板を連結したことを特徴とする動物捕獲用括り罠装置である。
【００１３】
本発明の第三は、
ワイヤ跳ね上げフレームが正面から見て略Ｕ字状、又は、正面から見て２つの角部を円弧状とした略上向きコ字状、の何れか１つであるであることを特徴とする前記動物捕獲用括り罠装置である。
【００１４】
本発明の第四は、
一対のワイヤ跳ね上げフレームにおいて、
１つ目のワイヤ跳ね上げフレームは、２つあるフレームの片方のフレームを片方のフレーム取付台の立ち上がりの内側に、他方のフレームは他方のフレーム取付台の立ち上がりの外側に取り付け
２つ目のワイヤ跳ね上げフレームは、１つ目のワイヤ跳ね上げフレームと逆の取り付け位置に取り付けた
ことを特徴とする前記動物捕獲用括り罠装置である。
【００１５】
本発明の第五は、
フレーム取付台のワイヤ跳ね上げフレーム取付孔を複数個設けたことを特徴とする前記動物捕獲用括り罠装置である。
【００１６】
本発明の第六は、
踏板の取付がワイヤ跳ね上げフレームより上にならないように、ワイヤ跳ね上げフレームに踏板止めを設けたことを特徴とする前記動物捕獲用括り罠装置である。
【００１７】
本発明の第七は、
一対のワイヤ跳ね上げフレームを側面から見て横長のＸ字状をなすように交差させて配置し、両ワイヤ跳ね上げフレームのフレーム下端部をフレーム取付台に回動可能に連結したことを特徴とする前記動物捕獲用括り罠装置である。
【００１８】
本発明の第八は、
一対のワイヤ跳ね上げフレームを側面から見て交差しないように直線状に配置し、両ワイヤ跳ね上げフレームのフレーム下端部をフレーム取付台に回動可能に連結したことを特徴とする前記動物捕獲用括り罠装置である。 
【００１９】
本発明の第九は、
一対のワイヤ跳ね上げフレームの取付状態が逆ハ字状となるように、
フレーム取付台の連結用孔とフレーム受けの位置を配置した
ことを特徴とする前記動物捕獲用括り罠装置である。 
【００２０】
本発明に係る動物捕獲用括り罠装置を設置する場合、一対のワイヤ跳ね上げフレームをフレームの下縁がフレーム受けに当接するまで押し下げ、踏板の左右をワイヤ跳ね上げフレームの内側に当接させると共に各フレームに設けられた踏板止めの下側に当接し、次に、ワイヤの一端にある括り輪をワイヤ跳ね上げフレームの外周に装着し、最後に、ワイヤに装着されたばね装置のばねを所定位置まで圧縮して括り輪に縮径力を付勢した状態にする。この状態で一対のワイヤ跳ね上げフレームは水平に対して略３°から１０°上向きに取り付けられている（図１、図２）。本発明の動物捕獲用括り罠装置では、踏板が括り輪を縮径する際のトリガーの役目を兼備している。この状態で、フレーム取付台を下にして地表に設置する。
【００２１】
こうして地表に設置された本発明に係る動物捕獲用括り罠装置の踏板を動物の足が踏むと、踏板が前記一対のワイヤ跳ね上げフレームから外れて抑えていた縮径力を開放し、ワイヤの括り輪とワイヤ跳ね上げフレームが上方へ跳ね上がり、ワイヤの括り輪がワイヤ跳ね上げフレームから上方へと飛び出て縮径し、動物の足を締め付けて捕獲する。
このように、括り輪を装着する一対のワイヤ跳ね上げフレームが上方に跳ね上がるように構成することにより、従来の動物捕獲用括り罠装置に比べ、動物の足が踏板を踏んだ時に高い位置まで括り輪を上げることができる。こうして、従来の動物捕獲用括り罠装置に比べ、動物の足をより高い位置で括ることができる。このため、動物が括り輪から脱出しようと激しく動いても足を括り輪から脱出させることが困難となり、動物を確実に捕獲することができる。 
【００２２】
また、動作荷重調整スペーサの一端を折り曲げて踏板の下面に当てがい、他端をワイヤ跳ね上げフレームに引き掛け、ワイヤ跳ね上げフレームと踏板を連結するように設けることにより、踏板がワイヤ跳ね上げフレームから外れる荷重を調整することができる。動作荷重調整スペーサは材料、板厚、幅、取り付け個数を調整することにより、踏板がワイヤ跳ね上げフレームから外れる荷重を自由に調整することが出来る。すなわち、曲げ強度の強い材料、板厚を厚く、幅を広く、個数を多くすれば、動作荷重を重くすることが出来る。このため、小動物や猪等の子供が踏板を踏んでも踏板がワイヤ跳ね上げフレームから外れないように調整することができ、捕獲対象外の小動物や猪等の子供を捕獲する事を防止できる。
【００２３】
また、フレーム取付台の連結用孔とフレーム受けの位置を調整することにより、ワイヤ跳ね上げフレームの取付け角を水平よりも高く、即ち、一対のワイヤ跳ね上げフレームの取付状態が逆ハ字状となるように設定できるので、水平やハの字形とする従来の括り罠に比べ、踏板が踏まれてから括り輪が野生動物の足を括るまでの時間を短くでき、動物を確実に捕獲することができる。 
【発明の効果】
【００２４】
本発明によれば、動物の足を括るワイヤ先端の括り輪は、ワイヤ跳ね上げフレームと共に上方に跳ね上がり、ワイヤ跳ね上げフレームから上方向に抜け出て括り輪をより高い位置に跳ね上がり、動物の足を高い位置で捕獲することができる。これにより、動物の足を
括り輪により確実に補足することができる。また、本発明によれば、地面に穴を掘ることなく地上に動物捕獲用括り罠装置を設置することができるので、地面に穴を掘って罠を設置する従来の括り罠に比べて時間と手間を省くことができ、人の臭いが残るのを抑えることができる。
【図面の簡単な説明】
【００２５】
【図１】(a）本願発明の一実施例を示す動物捕獲用括り罠装置の平面図       （b）本願発明の一実施例を示す動物捕獲用括り罠装置の側面図
【図２】本願発明の一実施例を示す動物捕獲用括り罠装置のA-A断面図
【図３】(a）本願発明の一実施例のフレーム取付台を示す平面図        (b）本願発明の一実施例のフレーム取付台を示す側面図
【図４】(a）本願発明の一実施例のワイヤ跳ね上げフレームを示す平面図        (b）本願発明の一実施例のワイヤ跳ね上げフレームを示す側面図
【図５】(a) 本願発明の一実施例の動作荷重調整スペーサの取付前の斜視図        (b）本願発明の一実施例の動作荷重調整スペーサの取付断面図
【図６】(a）本願発明の他の実施例のワイヤ跳ね上げフレームを示す平面図        (b）本願発明の他の実施例のワイヤ跳ね上げフレームを示す側面図
【図７】本願発明の他の実施態様を示す動物捕獲用括り罠装置の平面図
【図８】本願発明の他の実施態様を示す動物捕獲用括り罠装置の側面図
【発明を実施するための形態】
【００２６】
次に、本発明を実施するための形態について、図面を参照しながら動物捕獲用括り罠装置の例を説明する。ただし、以下に示す実施例は、本発明の技術思想を具体化するための動物捕獲用括り罠装置の例を示すものであって、以下のものに特定するものでない。
なお、以下の説明では本発明の特徴を理解しやすくするため、当業者であれば十分に実施し得る括り罠の構造そのものについては簡単な説明に止め、構造等の詳細な説明は省略する。
【実施例】
【００２７】
図１(a）は、本発明の一実施形態を示す動物捕獲用括り罠装置１００の平面図である。この動物捕獲用括り罠装置１００は、動物が足で踏みつける４角が円弧状になった略矩形状の踏板６と、一端に動物の足を捕獲するための括り輪２０が形成されたワイヤ１９と、括り輪２０に縮径力を付勢するためにワイヤ１９に配設されたばね装置２２と、括り輪２０を装着するための平面視略コ字状で２つの角部を円弧状とした一対のワイヤ跳ね上げフレーム７，８を具備している。ワイヤ跳ね上げフレーム７，８には、踏板６や括り輪２０を所定位置に配置するための踏板止め１０とワイヤ止め９を具備している。
【００２８】
一対のワイヤ跳ね上げフレーム７，８は、側面から視て横長の略Ｘ字状をなすように交差させて配され、ワイヤ跳ね上げフレーム７，８の両端のフレームはフレーム取付台１に回動可能に取付られている。連結部１５の取付は、リベット、ネジ、ナットとワッシャーとかを使用している。
平面視略コ字状の形状をした一対のワイヤ跳ね上げフレーム７、８をその下縁がフレーム受け２，３に当接するまで押し下げ、踏板６の左右をワイヤ跳ね上げフレーム７、８の内側に当接させると共に、一対の踏板止め１０の下面に当接し、次に、ワイヤ１９の一端
にある括り輪２０をワイヤ跳ね上げフレーム７，８の外周側にワイヤ止め９に当接するように装着し、最後に、ワイヤ１９に装着されたばね装置２２のばねを所定位置まで圧縮して括り輪２０に縮径力を付勢した状態にする。この状態で一対のワイヤ跳ね上げフレーム７，８は逆ハの字状となり、水平に対して略３°から１０°上向きに取り付けられている（図１（ｂ）、図２）。
【００２９】
図３（a)、(b)は、フレーム取付台１の平面図と側面図であり、フレーム取付台１は、薄い板状の金属板で、形は矩形状をしている。フレーム取付台１の長辺側の両端には、ワイヤ跳ね上げフレーム７，８を取り付ける立ち上がり１１がある。各立ち上がり１１は、金属板を直角に折り曲げて形成され、フレーム取付台１に対して囲い板状態となっている。立ち上がり１１の両端部にはフレーム受けを設ける。すなわち、ワイヤ跳ね上げフレーム７，８を受ける内側へ折り曲げた内側フレーム受け２、外側へ折り曲げた外側フレーム受け３が構成される。
これらのフレーム受け２，３は別部品で構成してフレーム取付台１に取付ても良い。また、各立ち上がり１１の中央より両端方向に離れた左右それぞれに複数個のワイヤ跳ね上げフレーム取付け穴５が設けられている。
【００３０】
図４の（a)、(b)はワイヤ跳ね上げフレーム７、（８）の平面図と側面図であり、正面から見て２つの角部を円弧状とした略コ字状であり、ワイヤ止め９、踏板止め１０はそれぞれ２個づつワイヤ跳ね上げフレーム７、（８）を折り曲げて構成し、フレーム両端部にはフレーム取付台１と連結用する連結用孔４が設けられている。
ワイヤ跳ね上げフレーム７、（８）の上端面の外面にはワイヤ１９の括り輪２０の装着時に外れ難いようにワイヤ止め９を設けてある。このワイヤ止め９はワイヤ跳ね上げフレーム７、（８）の一部を折り曲げて構成しているが、別部品を取り付けて構成しても良い。なお、この例では、ワイヤ跳ね上げフレーム７とワイヤ跳ね上げフレーム８は同一形状となっている。
【００３１】
また、図６の（a)、(b)は別の形状のワイヤ跳ね上げフレーム１７の平面図と側面図であり、正面から見て横に寝かした略Ｕ字状をしており、2つの平行なフレームとこれらのフレームを連結する半円弧から成り、ワイヤ止め９、踏板止め１０はそれぞれ２個づつワイヤ跳ね上げフレーム７、（８）を折り曲げて構成し、フレーム両端部にはフレーム取付台１と連結用する連結用孔４が設けられている。
【００３２】
踏板６は一対のワイヤ跳ね上げフレーム７，８に内接する形状で構成されるが、フレーム受け台１の立ち上がり１１と並行する辺は、連結部１５の飛び出しやワイヤ跳ね上げフレーム７，８のフレームの稼働を阻害しないようにワイヤ跳ね上げフレーム７，８のフレームと隙間を持たせている。
【００３３】
図１（ｂ）、図２の一点鎖線は、一対のワイヤ跳ね上げフレーム７，８が側面視でＸ字状の交差角が大きい状態から側面視でＸ字状の交差角が小さい状態になる過程を示している。一対のワイヤ跳ね上げフレーム７，８のフレーム下端部は、フレーム取付台１の立ち上がり１１にネジやナットとワッシャーとかリベットを使用して回動可能に取付けてある。このため、踏板６が外されると括り輪２０に縮径力が働くき、括り輪２０とこれを装着していた一対のワイヤ跳ね上げフレーム７，８は側面視交差角度の大きなX字状の状態から側面視交差角度の小さいX字状の状態に移行する。
すなわち、猪、鹿等の野生動物が踏板６を踏むと、黒塗りの矢印で示すように踏板６が
ワイヤ跳ね上げフレーム７，８から外れて下方に移動する。同時にばね装置２２のトリガーが外され、括り輪２０に縮径力が働き、ワイヤ跳ね上げフレーム７，８とこれらに装着されていた括り輪２０が白抜きの矢印で示すように上方に跳ね上がる。
【００３４】
一対のワイヤ跳ね上げフレーム７，８は、取付け状態では逆ハの字状をしており、側面視でX字状の交差角は大きく、フレーム取付台１の立ち上がり１１を高くしないようにするため、ワイヤ跳ね上げフレーム７，８が水平に対して３°から１０°となるように連結用の孔５と外側フレーム受け３の位置を調整している。ワイヤ跳ね上げフレーム７，８の取付け角を水平に対して３°から１０°とすることにより、水平やハの字形とした場合に比べ、踏板６が外されてから括り輪２０が野生動物の足を括るまでの時間を短くできる。
【００３５】
一対のワイヤ跳ね上げフレーム７，８とフレーム取付台１の取付け状態での関係は、図１（a）に示す通りである。両者を平面視すると、1つのワイヤ跳ね上げフレーム７の1端はフレーム取付台１の立ち上がり１１の内側に、他端は反対側のフレーム取付台１の立ち上がり１１の外側に取り付けられている。もう１つのワイヤ跳ね上げフレーム８の端部も同様に取り付けられている。このワイヤ跳ね上げフレーム７，８の取付方法では、一対のワイヤ跳ね上げフレーム７，８を同一形状とする事ができるが、２つのワイヤ跳ね上げフレームは跳ね上がったときに上部で必ずぶつかり合う。
【００３６】
上記説明では、一対のワイヤ跳ね上げフレーム７，８が同一形状で構成されている事例について説明したが、図７に示すように、ワイヤ跳ね上げフレーム２７の両端のフレームをフレーム取付台１の立ち上がり１１の内側に、もう一方のワイヤ跳ね上げフレーム２８の両端のフレームをフレーム取付台１の立ち上がり１１の外側に取り付けるようにしても良い。この場合、一対のワイヤ跳ね上げフレーム７，８は寸法の違ったものになるが、２つのワイヤ跳ね上げフレーム７，８は跳ね上がったときに上部でぶつからずに略１８０°近く回転するようにできる。
このタイプのワイヤ跳ね上げフレームを使用する場合、内側に取り付けるフレーム受け２はフレーム取付台１の内向きの対向する位置に、外側に取り付けるフレーム３受けはフレーム取付台１の外向きの対抗する背を向け合う位置に配置される。
【００３７】
上記説明では一対のワイヤ跳ね上げフレームを側面から見て横長のＸ字状をなすように交差させて配置する場合を示したが、図８に示すように、一対のワイヤ跳ね上げフレームを交差しないように、フレームに取付台の中央部近辺の左右に連結用の取付穴を設け、右側のワイヤ跳ね上げフレームの両端は中央より右側の連結孔に、左側のワイヤ跳ね上げフレームの両端は中央より左側の連結孔に取付けた構成としてもよい。同一外形寸法の動物捕獲用括り罠装置とした場合、一対のワイヤ跳ね上げフレームは同一形状、同一寸法とできるが、ワイヤ跳ね上げフレームの寸法が小さくなるため、ワイヤ跳ね上げフレームの跳ね上がっる高さは低くなるが、本発明の他の動物捕獲用括り罠装置と略同様の効果を得ることができる。
【００３８】
ワイヤのばね装置２２を図１（ａ）に示すが、当業者が一般的に使用している周知のものである。ワイヤ１９の先端に括り輪２０を有し、括り輪２０を縮径させるばね、筒、ストッパーから成るばね装置２２を有している。
【００３９】
以上のように構成された動物捕獲用括り罠装置１００は、次の手順で設置する。図１(ａ
）、（ｂ），図２に示すように、一対のワイヤ跳ね上げフレーム７，８を内側・外側フレーム受け２，３に当たるまで押し下げ、踏板６を一対のワイヤ跳ね上げフレーム７，８に設けられた踏板止め１０の下側に当接し、次に、ワイヤ１９の一端にある括り輪２０をワイヤ跳ね上げフレーム７，８の外周に装着し、最後に、ワイヤ１９に装着されたばね装置２２のばねを所定位置まで圧縮した状態にしてストッパで固定し、括り輪２０に縮径力を付勢する。
この状態で一対のワイヤ跳ね上げフレームは逆ハの字状となり、水平に対して略３°から１０°上向きに取り付けられている（図１（ｂ），図２）。本発明の動物捕獲用括り罠装置１００では、踏板６が括り輪２０を縮径する際のトリガーの役目を兼備している。
【００４０】
その後、動物捕獲用括り罠装置１００を動物の通り道と思われる平らな場所に、フレーム取付台１を下にして地面に設置する。その後、枯葉等で動物捕獲用括り罠装置１００を覆い隠し、ワイヤ１９の他端部を強度のある樹木等に固定する。これで動物捕獲用括り罠装置１００の設置作業は完了する。以上のように、罠を仕掛けるのに、穴を掘る必要はなく、動物捕獲用括り罠装置１００を地表に置くだけでよく、仕掛作業は非常に簡単である。
【００４１】
また、図５に示すように、動作荷重調整スペーサ１２を使用する場合は、その一端を折り曲げてL字状とし、踏板６とワイヤ跳ね上げフレーム７、８の間に踏板６の下から差し込み、動作荷重調整スペーサ１２の折り曲げた短い面を踏板６の下面に当てがい、長い方の他端をワイヤ跳ね上げフレーム７，８に巻きつけるように折り曲げて引き掛け、ワイヤ跳ね上げフレーム７，８と踏板６を連結するように取り付ける。こうすることにより、踏板６がワイヤ跳ね上げフレーム７，８から下方向に外れる荷重を調整することができる。
【００４２】
次に、本実施例の動物捕獲用括り罠装置１００の作動について説明する。
図１(ａ）、（ｂ）、図２は、本発明の実施形態を示す動物捕獲用括り罠装置１００を仕掛けた状態を示す。踏板６を動物の足が踏むと、図２の黒塗りの矢印で示すように踏板６が下方に１〜２センチ程度押し下げられる。すると、それまで括り輪２０の縮径力を押さえていた踏板６が取り去られたため、支持物を失い、図１（ｂ），図２の白抜きの矢印で示すように、一対のワイヤ跳ね上げフレーム７、８と括り輪２０は共に上方へと跳ね上がる。括り輪２０には、ワイヤ１９に装着されたばね装置２２のばねにより常にその大きさが小さくなるように圧縮力が付勢されている。従って、一対のワイヤ跳ね上げフレーム７，８が図１（ｂ），図２に一点鎖線で示すように上方に移動を始めると、ワイヤ１９の先端にある括り輪２０から、一対のワイヤ跳ね上げフレーム７，８に側面視略Ｘ字状の角度が小さくなる方向に移動する力が付加される。
【００４３】
これにより、括り輪２０は、一対のワイヤ跳ね上げフレーム７，８と共に上方へと移動し、最終的にワイヤ跳ね上げフレーム７，８から上方へと抜け出る。そして、括り輪２０は、ばね装置２２のばねにより瞬時に絞り込まれ、踏板６を踏んだ動物の足を括る。
【００４４】
上記実施形態においては、フレーム取付台１は一枚板の両端を折り曲げて構成したものを示したが、L型アングル材で一対の立ち上がり１１を構成し、その両端を平板の連結部材で連結して四角い枠を作り、フレーム取付台としてもよい。
【産業上の利用可能性】
【００４５】
本発明の動物捕獲用括り罠装置１００は、特に猪や鹿等の有蹄動物の捕獲に有用で、確実に目的とする害獣の足首を括って捕らえることが可能であり、猟銃などが使えない場所でも使用できる。また、檻罠に比べると安価で非常に軽量であり、設置場所を選ばず、餌なども必要としないので活用しやすい。
【符号の説明】
【００４６】
１  フレーム取付台
２  内側フレーム受け
３  外側フレーム受け
５  連結用孔
６  踏板
７  ワイヤ跳ね上げフレーム
８  ワイヤ跳ね上げフレーム
９  ワイヤ止め
１０  踏板止め
１１  立ち上がり
１２  動作荷重調整スペーサ
１５  連結部
１７  ワイヤ跳ね上げフレーム
１９  ワイヤ
２０  括り輪
２２  バネ装置
２７  ワイヤ跳ね上げフレーム
２８  ワイヤ跳ね上げフレーム
１００  動物捕獲用括り罠装置
【図１】
2020089294.tif 000003
【図２】
2020089294.tif 000004
【図３】
2020089294.tif 000005
【図４】
2020089294.tif 000006
【図５】
2020089294.tif 000007
【図６】
2020089294.tif 000008
【図７】
2020089294.tif 000009
【図８】
2020089294.tif 000010
【手続補正書】
【提出日】平成31年2月6日(2019.2.6)
【手続補正２】
【補正対象書類名】特許請求の範囲
【補正対象項目名】請求項２
【補正方法】変更
【補正の内容】
【請求項２】
踏板がワイヤ跳ね上げフレームから外れる荷重を調整する動作荷重調整スペーサを有し、前記動作荷重調整スペーサで各ワイヤ跳ね上げフレームと踏板を連結したことを特徴とする請求項１に記載の動物捕獲用括り罠装置。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
フレーム取付台と、
動物の足を括るための括り輪が一端に形成されたワイヤと、
前記括り輪に縮径力を付勢するためにワイヤに装着された付勢手段と、
フレーム取付け台に取付けた一対のワイヤ跳ね上げフレームと、踏板
を具備した動物捕獲用括り罠装置において、
一対のワイヤ跳ね上げフレームを対向するように各ワイヤ跳ね上げフレームの各フレーム下端部をフレーム取付台に回動可能に連結し、
前記一対のワイヤ跳ね上げフレームの外周囲にワイヤの括り輪を装着し、
踏板を前記一対のワイヤ跳ね上げフレームの内側に装着してワイヤの括り輪に付勢される縮径力を抑え、
動物の足が踏板を踏むことにより踏板が前記一対のワイヤ跳ね上げフレームから外れて抑えていた縮径力を開放し、
ワイヤの括り輪とワイヤ跳ね上げフレームが上方へ跳ね上がり、
ワイヤの括り輪がワイヤ跳ね上げフレームから上方へ飛び出て縮径し、
動物の足を締め付けて捕獲することを特徴とする動物捕獲用括り罠装置。
【請求項２】
踏板がワイヤ跳ね上げフレームから外れる荷重を調整する動作荷重調整スペーサを有し、前記動作荷重調整スペーサで各ワイヤ跳ね上げフレームと踏板を連結したことを特徴とする請求項１に記載の動物捕獲用括り罠装置。
【請求項３】
ワイヤ跳ね上げフレームが正面から見て略Ｕ字状、又は
正面から見て２つの角部を円弧状とした略上向きコ字状、
の何れか１つであることを特徴とする請求項１から請求項２
のいずれかの１項に記載の動物捕獲用括り罠装置。
【請求項４】
一対のワイヤ跳ね上げフレームにおいて、
１つ目のワイヤ跳ね上げフレームは、２つあるフレームの片方のフレームを片方のフレーム取付台の立ち上がりの内側に、他方のフレームは他方のフレーム取付台の立ち上がりの外側に取り付け
２つ目のワイヤ跳ね上げフレームは、１つ目のワイヤ跳ね上げフレームと逆の取り付け位置に取り付けたことを特徴とする請求項１から請求項３のいずれかの１項に記載の動物捕獲用括り罠装置。
【請求項５】
フレーム取付台のワイヤ跳ね上げフレーム取付孔を複数個設けたことを特徴とする請求項１から請求項４のいずれかの１項に記載の動物捕獲用括り罠装置。
【請求項６】
踏板の取付がワイヤ跳ね上げフレームより上にならないように、ワイヤ跳ね上げフレームに踏板止めを設けたことを特徴とする請求項１から請求項５のいずれかの１項に記載の動物捕獲用括り罠装置。
【請求項７】
一対のワイヤ跳ね上げフレームを側面から見て横長のＸ字状をなすように交差させて配置し、
両ワイヤ跳ね上げフレームのフレーム下端部をフレーム取付台に回動可能に連結したことを特徴とする請求項１から請求項６のいずれかの１項に記載の動物捕獲用括り罠装置。
【請求項８】
一対のワイヤ跳ね上げフレームを側面から見て交差しないように配置し、
両ワイヤ跳ね上げフレームのフレーム下端部をフレーム取付台に回動可能に連結したことを特徴とする請求項１から請求項６のいずれかの１項に記載の動物捕獲用括り罠装置。
【請求項９】
一対のワイヤ跳ね上げフレームの取付状態が逆ハ字状となるように、
フレーム取付台の連結用孔とフレーム受けの位置を配置した
ことを特徴とする請求項１から請求項８のいずれかの１項に記載の動物捕獲用括り罠装置。
【手続補正２】
【補正対象書類名】明細書
【補正対象項目名】００１３
【補正方法】変更
【補正の内容】
【００１３】本発明の第三は、
ワイヤ跳ね上げフレームが正面から見て略Ｕ字状、又は、正面から見て２つの角部を円弧状とした略上向きコ字状、の何れか１つであることを特徴とする前記動物捕獲用括り罠装置である。